(57)【要約】【課題】姿勢の矯正や筋肉のストレッチだけでなく、足指の血液循環の促進や、足指間の刺激による脳の活性化にも効用がある健康シューズを提供する。【解決手段】健康シューズ１０は、足を載せる台部１と、この台部１に載せた足を覆う被覆部２と、台部１の下面に設けられた１本歯３とを備えている。被覆部２は、前方側に開口部８を有している。台部１の上面には、足の５本指Ｆの各指間に入り込んで、指と指の間を広げた状態で各指を支持する４本の支持体９ａ〜９ｄが設けられている。これらの支持体９ａ〜９ｄは、被覆部２の開口部８から露出している。【選択図】図７
0003230647.tif 000002
【実用新案登録請求の範囲】
【請求項１】
足を載せる台部と、
前記台部に載せた足を覆う被覆部と、
前記台部の下面に設けられた１本歯と、を備えた健康シューズにおいて、
前記被覆部は、前方側に開口部を有しており、
前記台部の上面に、足の５本指の各指間に入り込んで、指と指の間を広げた状態で各指を支持する４本の支持体が設けられ、
前記支持体は、前記被覆部の前記開口部から露出している、ことを特徴とする健康シューズ。
【請求項２】
前記４本の支持体は、弾性を有する材料から形成されている、請求項１に記載の健康シューズ。
【請求項３】
前記４本の支持体は、それぞれの上部が連結部材により連結されている、請求項１または請求項２に記載の健康シューズ。
【請求項４】
前記連結部材は、前記被覆部に固定されており、
前記支持体のそれぞれの下部は、前記台部に固定されている、請求項１ないし請求項３のいずれかに記載の健康シューズ。
【請求項５】
前記被覆部は、後方側が開放されており、
前記被覆部の後部に、足首付近を包囲するベルトが設けられている、請求項１ないし請求項４のいずれかに記載の健康シューズ。
【請求項６】
前記１本歯は、前記台部の前後方向の中央付近に位置している、請求項１ないし請求項５のいずれかに記載の健康シューズ。
【考案の詳細な説明】
【技術分野】
【０００１】
本考案は、姿勢の矯正や足の鍛錬に有用な健康シューズに関する。
【背景技術】
【０００２】
姿勢を矯正したり、足の筋肉を鍛えたりすることを目的とした健康シューズが、従来から種々提案されている。たとえば、特許文献１〜３には、シューズ本体と、このシューズ本体の裏面に下方へ突出するように設けられた凸部とを備えた健康シューズが示されている。凸部は、Ｖ字形などの先細り形状に形成され、床や地面とわずかな接触面積で接触する。このため、シューズを履いた状態で、全身で前後にバランスを取りながら歩行することで、姿勢の矯正や足の筋肉のストレッチなどを行うことができる。
【先行技術文献】
【特許文献】
【０００３】
【特許文献１】特開平１１−２８５４０１号公報
【特許文献２】特開平７−１３６００１号公報
【特許文献３】実用新案登録第３０９０４７８号公報
【考案の概要】
【考案が解決しようとする課題】
【０００４】
従来の健康シューズでは、姿勢矯正や筋肉ストレッチの効用はあるものの、足指の血液循環を促進したり、足指に刺激を与えて脳を活性化することなどに関しては、考慮が払われていなかった。
【０００５】
本考案は、姿勢の矯正や筋肉のストレッチだけでなく、足指の血液循環の促進や、足指間の刺激による脳の活性化にも効用がある健康シューズを提供することを課題としている。
【課題を解決するための手段】
【０００６】
本考案に係る健康シューズは、足を載せる台部と、この台部に載せた足を覆う被覆部と、台部の下面に設けられた１本歯とを備えている。被覆部は、前方側に開口部を有している。台部の上面には、足の５本指の各指間に入り込んで、指と指の間を広げた状態で各指を支持する４本の支持体が設けられている。これらの支持体は、被覆部の開口部から露出している。
【０００７】
このような構成の健康シューズによると、１本歯を支点として全身でバランスを取ることにより、姿勢を矯正することができるとともに、足の筋肉のストレッチを行うことができる。また、シューズを履いた状態では、４本の支持体が足の５本指の各指間に入り込んで、指と指の間を広げた状態で各指を支持するので、支持体から５本指に刺激が与えられて、各指の血液循環が促進されるとともに、親指と人さし指の間に支持体が入り込むことで、両指の間にある反射区（神経の集中箇所）が刺激されて、脳が活性化される。
【０００８】
また、本考案では、被覆部の前方側が開口しているので、シューズを履いた状態で足先に圧迫感がない。さらに、開口部から露出した４本の支持体を目視できるので、シューズを履く際に、５本指の間に各支持体が入り込むのを容易に確認することができる。
【０００９】
本考案において、４本の支持体は、たとえば、弾性を有する材料から形成されており、各支持体の上部は連結部材により連結されていてもよい。この連結部材は、被覆部に固定され、支持体のそれぞれの下部は、台部に固定されていてもよい。また、被覆部は、後方側が開放されており、被覆部の後部に、足首付近を包囲するベルトが設けられていてもよい。１本歯は、台部の前後方向の中央付近に位置していることが好ましい。
【考案の効果】
【００１０】
本考案によれば、姿勢の矯正や筋肉のストレッチだけでなく、足指の血液循環の促進や、足指間の刺激による脳の活性化にも効用がある健康シューズを提供することができる。
【図面の簡単な説明】
【００１１】
【図１】本考案に係る健康シューズの正面図である。
【図２】同健康シューズの上面図である。
【図３】同健康シューズの右側面図である。
【図４】同健康シューズの左側面図である。
【図５】同健康シューズの底面図である。
【図６】被覆部とベルトを省いた状態の上面図である。
【図７】足指間に支持体が入り込んだ状態を示す図である。
【考案を実施するための形態】
【００１２】
以下、本考案の実施形態につき、図面を参照しながら説明する。
【００１３】
図１〜図５は、本考案の一実施形態による健康シューズを示している。各図において、同一部分には同一符号を付してある。
【００１４】
図１に示すように、健康シューズ１０は、足を載せる台部１と、この台部１に載せた足を覆う被覆部２と、台部１の下面に設けられた１本歯３とを備えている。本実施形態では、台部１は、座板１１と、この座板１１を保持する基台１２とからなる。基台１２と１本歯３とは、一体的に形成されている。１本歯３の下部には、樹脂製の滑り止め部材３ａが設けられている。
【００１５】
１本歯３は、台部１の前後方向（矢印Ａ、Ｂの方向）の中央付近に位置している。また、１本歯３の前側と後側において、台部１の下面に、転倒防止用の突出部４、５が設けられている。これらの突出部４、５は、樹脂により半球形に形成されていて、ネジなどの固定部材によって台部１の基台１２に固定されている。
【００１６】
図１、図３、図４に示すように、被覆部２は、前方側（図１でＡ方向側）に開口部８を有している。また、図１〜図３に示すように、被覆部２は、後方側（図１でＢ方向側）が開放されている。被覆部２の上部には、被覆部２による足の押さえ力を調節するためのストラップ６が設けられている。また、被覆部２の後部には、足が抜けないように足首付近を包囲するベルト７が連結されている。
【００１７】
図１〜図４に示すように、台部１の上面には、４本の支持体９ａ、９ｂ、９ｃ、９ｄが設けられている（図１では、支持体９ａが支持体９ｂに隠れて表れていない）。これらの支持体９ａ〜９ｄは、足の５本指の各指間に入り込んで、指と指の間を広げた状態で各指を支持する。支持体９ａ〜９ｄは、弾性を有する材料から形成されており、被覆部２の開口部８から露出している（図１、図２参照）。
【００１８】
図３に示すように、４本の支持体９ａ〜９ｄは、それぞれの上部が連結部材１４により連結されている（図６も参照）。支持体９ａ〜９ｄの下部は、台部１の座板１１に固定されている。連結部材１４は、支持体９ａ〜９ｄと同様の弾性を有する材料から形成されており、被覆部２の裏側に固定されている。
【００１９】
図６に示すように、座板１１には、足裏の３点と接触する接触部１５、１６が設けられている。本実施形態では、接触部１５、１６の表面と、座板１１の表面とが同一面となっているが、接触部１５、１６の表面が座板１１の表面より若干隆起していてもよい。前側の接触部１５は、瓢箪形をしていて、足裏の拇趾球（親指の付け根付近の膨らみ）および小趾球（小指の付け根付近の膨らみ）と対応して設けられている。後側の接触部１６は、円形をしていて、足裏の踵骨（かかと部分の骨）と対応して設けられている。各接触部１５、１６は、座板１１に形成された穴（図示省略）に嵌め込まれ、接着剤などによって座板１１と基台１２に固定されている。また、各接触部１５、１６は、遠赤外線を発生する天然鉱石（たとえば温光石）の粉末を含んでいる。
【００２０】
以上のような構成を備えた健康シューズ１０によれば、起立した状態で１本歯３を支点として全身でバランスを取ることにより、姿勢を矯正することができるとともに、足の筋肉のストレッチを行うことができる。また、各接触部１５、１６から放射される遠赤外線により、足の裏側が暖められて血行が良くなる。さらに、座板１１が、接触部１５、１６により３点で体重を支えるため、１本歯と３点支持の相乗効果によって、体の歪みや下半身のバランスがより効果的に改善される。
【００２１】
また、健康シューズ１０を履いた状態では、図７に示すように、４本の支持体９ａ〜９ｄが足の５本指Ｆの各指間に入り込んで、指と指の間を左右方向Ｘに広げた状態で各指を支持する。このため、支持体９ａ〜９ｄから５本指Ｆに刺激が与えられて、各指の血液循環が促進される。また、親指と人さし指の間に支持体９ａが入り込むことで、両指の間にある反射区（神経の集中箇所）が刺激され、これによって脳が活性化される。
【００２２】
また、本考案の健康シューズ１０では、被覆部２の前方側に開口部８が設けられており、この開口部８から４本の支持体９ａ〜９ｄが露出している。このため、シューズを履いた状態で足先に圧迫感がなく、それでいて支持体９ａ〜９ｄにより５本指Ｆをしっかりと支持することができる。さらに、開口部８から露出した４本の支持体９ａ〜９ｄを目視できるので、シューズを履く際に、５本指Ｆの間に支持体９ａ〜９ｄが入り込むのを容易に確認することができ、履きやすさの点でも優れている。
【００２３】
本考案は、上述した実施形態だけでなく、他にも種々の実施形態を採用することができる。たとえば、前記の実施形態では、台部１の基台１２と１本歯３とが一体的に形成されているが、１本歯３を基台１２と別体に形成して、基台１２に固定してもよい。また、前記の実施形態では、台部１が座板１１と基台１２とから構成されているが、座板１１と基台１２とを一体化してもよい。
【００２４】
また、前記の実施形態では、座板１１の接触部１５、１６が遠赤外線を発生する物質を含んでいる例を挙げたが、支持体９ａ〜９ｄや連結部材１４が遠赤外線を発生する物質を含んでいてもよい。これによれば、足の指先も暖められるので、足指の血液循環が一層促進される。
【００２５】
また、前記の実施形態では、座板１１と接触部１５、１６とを別部材で構成した例を挙げたが、座板１１と接触部１５、１６とを同一部材で一体化してもよい。
【００２６】
さらに、前記の実施形態では、転倒防止用の突出部４、５を半球形とした例を挙げたが、突出部４、５は、半円柱形や、円錐台、角錐台、直方体などの形状であってもよい。また、突出部４、５を基台１２と一体に形成してもよい。
【符号の説明】
【００２７】
１    台部
２    被覆部
３    １本歯
７    ベルト
８    開口部
９ａ〜９ｄ  支持体
１０  健康シューズ
１４  連結部材
Ａ    前方側
Ｂ    後方側
Ｆ    足の５本指
【図１】
0003230647.tif 000003
【図２】
0003230647.tif 000004
【図３】
0003230647.tif 000005
【図４】
0003230647.tif 000006
【図５】
0003230647.tif 000007
【図６】
0003230647.tif 000008
【図７】
0003230647.tif 000009
【手続補正書】
【提出日】令和2年11月24日(2020.11.24)
【手続補正１】
【補正対象書類名】実用新案登録請求の範囲
【補正対象項目名】請求項４
【補正方法】変更
【補正の内容】
【請求項４】
前記連結部材は、前記被覆部に固定されており、
前記支持体のそれぞれの下部は、前記台部に固定されている、請求項３に記載の健康シューズ。